(57)【要約】【課題】積分器を使用することなく変調状態での出力信号のレベル検出を可能にして、レベル調整の収束時間が変調方式に依存しないようにした高周波増幅器のレベル調整回路を提供すること。【解決手段】比較器１２０は、変調信号出力を取り出すサンプル回路１１３の出力信号のレベルと、外部への出力信号を取り出すサンプル回路１１９の出力信号のレベルとを比較し、外部に送出する出力信号のレベルを適正化するために過不足している分の信号レベルを、ホールド回路１１５に伝達する。ホールド回路１１５は、比較器１１５から伝達された前記過不足信号レベルが所定の値以下の微小レベルか否かを判断し、所定の値以下の微小レベルであれば無視するが、所定の値以下の微小レベルでなければ、前記過不足信号レベルを現時点の出力信号レベルに加減算して出力する。【選択図】図１
2010187274.tif 000002
【特許請求の範囲】
【請求項１】
高周波出力信号を増幅する可変利得増幅回路を備え、前記可変利得増幅回路の利得を制御することによって前記高周波出力信号の出力レベルを調整する高周波増幅器のレベル調整回路であって、
前記可変利得増幅回路に入力される前記高周波出力信号を変調した際に使用された変調信号の分岐成分の信号を取得してサンプリングする第１のサンプリング手段と、
前記可変利得増幅回路から出力される前記高周波出力信号の分岐成分の信号を取得してサンプリングする第２のサンプリング手段と、
前記可変利得増幅回路の利得を制御する利得制御パラメータとして、前記第１のサンプリング手段から供給される第１の信号の信号レベルと前記第２のサンプリング手段から供給される第２の信号の信号レベルとのレベル差を示す差信号を使用する利得制御手段と、
を備えたことを特徴とする高周波増幅器のレベル調整回路。
【請求項２】
前記利得制御手段が前記利得制御パラメータとして使用する前記差信号は、ホールド回路でホールドされたものであることを特徴とする請求項１記載の高周波増幅器のレベル調整回路。
【請求項３】
前記ホールド回路は、前記差信号が示す前記レベル差が所定のレベル値以下である場合は、前記差信号を利得制御パラメータとして出力しないことを特徴とする請求項２記載の高周波増幅器のレベル調整回路。
【請求項４】
高周波出力信号を増幅する可変利得増幅回路を備え、前記可変利得増幅回路の利得を制御することによって前記高周波出力信号の出力レベルを調整する高周波増幅器のレベル調整回路であって、
前記可変利得増幅回路に入力される前記高周波出力信号を変調した際に使用された変調信号の分岐成分の信号を取得すると共に該信号から第１の振幅情報を抽出する振幅情報抽出手段と、
前記可変利得増幅回路から出力される前記高周波出力信号の分岐成分の信号を取得してアンダーサンプリングして第２の振幅情報を抽出するアンダーサンプリング手段と、
前記可変利得増幅回路の利得を制御する利得制御パラメータとして、
前記振幅情報抽出手段から供給される第１の振幅情報と前記アンダーサンプリング手段から供給される第２の振幅情報とから算出されるレベル差を示す信号を使用する利得制御手段と、
を備えたことを特徴とする高周波増幅器のレベル調整回路。
【請求項５】
前記利得制御手段が前記利得制御パラメータとして使用する前記差信号は、ホールド回路でホールドされたものであることを特徴とする請求項４記載の高周波増幅器のレベル調整回路。
【請求項６】
前記ホールド回路は、前記差信号が示す前記レベル差が所定のレベル値以下である場合は、前記差信号を利得制御パラメータとして出力しないことを特徴とする請求項５記載の高周波増幅器のレベル調整回路。
【請求項７】
請求項１乃至６のいずれか１項に記載のレベル調整回路を備えた高周波増幅器。
【請求項８】
高周波出力信号を増幅する可変利得増幅回路を備え、前記可変利得増幅回路の利得を制御することによって前記高周波出力信号の出力レベルを調整する高周波増幅器のレベル制御方法であって、
前記可変利得増幅回路に入力される前記高周波出力信号を変調した際に使用された変調信号の分岐成分の信号を取得してサンプリングする第１のサンプリングステップと、
前記可変利得増幅回路から出力される前記高周波出力信号の分岐成分の信号を取得してサンプリングする第２のサンプリングステップと、
前記可変利得増幅回路の利得を制御する利得制御パラメータとして、前記第１のサンプリングステップを介して供給される第１の信号の信号レベルと前記第２のサンプリングステップを介して供給される第２の信号の信号レベルとのレベル差を示す差信号を使用する利得制御ステップと、
を有することを特徴とする高周波増幅器のレベル制御方法。
【発明の詳細な説明】
【技術分野】
【０００１】
本発明は高周波増幅器のレベル調整回路及び高周波増幅器のレベル制御方法に係り、特に、出力レベルの収束時間が変調方式に依存しないようにした高周波増幅器のレベル調整回路及び高周波増幅器のレベル制御方法に関する。
【背景技術】
【０００２】
従来、高周波増幅器のレベル調整回路としては、例えば図６に例示するようなものがある。
図６に示す従来の高周波増幅器のレベル調整回路は、変調状態での高周波入力信号を可変ゲインで増幅して出力する可変ゲインアンプ９０１（レベル調整対象の増幅器）と、可変ゲインアンプ９０１が出力する高周波入力信号を外部に出力可能なパワーに変換するアンプ９０２と、可変ゲインアンプ９０１が出力する高周波入力信号を外部に出力すると共に、その一部を分岐出力するカプラ９０３と、カプラ９０３の分岐出力を取り出して出力する検出器９０４と、検出器９０４が出力する変調状態での出力信号のレベルを検出する積分器９０５と、出力信号の基準値９０６と、積分器９０５の出力と基準値９０６とを比較し、その差となる信号値を出力する比較器９０７と、比較器９０７の出力に時定数を持たせた信号を可変ゲインアンプ９０１のゲイン調整信号として出力するＬＰＦ（Low-Pass filter）９０８と、を備える。
【０００３】
この従来の高周波増幅器のレベル調整回路は、積分器９０５が、可変ゲインアンプ９０１の変調状態での出力信号のレベルを検出し、比較器９０７において、当該検出された出力信号のレベルと、所望の出力信号のレベルとの差を出力して、ＬＰＦ９０８を介して可変ゲインアンプ９０１に帰還することにより、この差が無くなるように可変ゲインアンプ９０１のゲインを増減させるものである。なお、ＬＰＦ９０８は、比較器９０７の出力によって可変ゲインアンプ９０１が過剰に反応しないように時定数を持たせるものである。
【０００４】
なお、この分野の先行技術として、例えば特許文献１には、自動レベル制御装置が、ベースバンド変調信号であるＩ，Ｑの各デジタル信号で変調された無線変調信号を演算処理部へ出力し、演算処理部が、この無線変調信号の振幅値データを比較信号として用いる技術が開示されている。
また、特許文献２には、受信入力の包絡線の瞬時値を所定周期で検出し、所定周期でサンプリングする技術、即ち、受信入力の包絡線の瞬時値を所定周期で検出し、受信信号の短区間又は長区間平均値と入力ＩＦ（Intermediate Frequency）信号との差を求め、この差と閾値とを比較し、サンプルホールドして、ゲイン制御を行う技術を開示している。
また、特許文献３には、自動利得制御回路を有した増幅器において、増幅器出力がサンプルホールド回路入力に供給され、映像ＩＦ信号のサンプリングがアンダーサンプリングされる技術を開示している。
【０００５】
さらに、特許文献４には、自動電力制御装置において、送信波開始時、送信波の立ち上がり時に定常状態よりもサンプリング周期を短くし、定常状態ではサンプリング周期を遅くする技術、即ち、進行波検出回路の出力信号をサンプリングするためのサンプルホールド回路のサンプリング周期を、送信波開始時や周波数変更時の送信波立ち上がり時において、定常状態よりも早くする（短くする）技術が開示されている。
【先行技術文献】
【特許文献】
【０００６】
【特許文献１】特開２０００−３４９７３８号公報
【特許文献２】特開２００６−１９７６５４号公報
【特許文献３】特開平０９−００９１０１号公報
【特許文献４】特開平０９−３０７６０１号公報
【発明の概要】
【発明が解決しようとする課題】
【０００７】
しかしながら、上記背景技術で述べた従来の高周波増幅器のレベル調整回路にあっては、検出器９０４が出力する変調状態での出力信号のレベルを検出する積分器９０５の出力信号を、各変調方式によってデータレート以上の時間で積分することで出力信号のレベルを判断していたため、変調方式毎にレベル調整に要する処理時間が異なったものになってしまうといった問題点を有していた。ここで、ループゲインを上げることによりレベル調整に要する時間を短くしようとすると、微小なレベル変動にも応答し、スプリアスを発生させることになる。このようなスプリアスは、高周波信号を増幅する増幅器の場合は特に発生し易い。
また、上記の問題点に関連したより根本的な問題点は、出力信号が変調波であるため、積分器９０５にて積分しないと正確なレベルを測定できないので、ゲイン調整に時間遅れが生じるということにあった。
また、変調方式毎に積分器９０５の積分時間を設定するため、新たに変調方式を追加することが容易にできないという問題点もあった。
【０００８】
なお、前述の特許文献１〜４に示す各先行技術は、周知の技術要素においてのみ、本特許の一部の構成要素と同じ機能を有するものに過ぎない。
本発明は、上記従来の問題点に鑑みてなされたものであって、積分器を使用することなく変調状態での出力信号のレベル検出を可能にして、レベル調整の収束時間が変調方式に依存しないようにした高周波増幅器のレベル調整回路を提供することを目的とする。
本発明の他の目的は、積分器を使用することなく変調状態での出力信号のレベル検出を可能にして、レベル調整を高速に行えるようにすることにある。
本発明の他の目的は、増幅回路の出力信号のレベルと基準値とのレベル差が所定値以下の場合は、レベル調整を省略することを可能にして、スプリアスの発生を低減できる高周波増幅器のレベル調整回路を提供することにある。
【課題を解決するための手段】
【０００９】
上記課題を解決するために、本発明に係る高周波増幅器のレベル調整回路は、高周波出力信号を増幅する可変利得増幅回路を備え、前記可変利得増幅回路の利得を制御することによって前記高周波出力信号の出力レベルを調整する高周波増幅器のレベル調整回路であって、前記可変利得増幅回路に入力される前記高周波出力信号を変調した際に使用された変調信号の分岐成分の信号を取得してサンプリングする第１のサンプリング手段と、前記可変利得増幅回路から出力される前記高周波出力信号の分岐成分の信号を取得してサンプリングする第２のサンプリング手段と、前記可変利得増幅回路の利得を制御する利得制御パラメータとして、前記第１のサンプリング手段から供給される第１の信号の信号レベルと前記第２のサンプリング手段から供給される第２の信号の信号レベルとのレベル差を示す差信号を使用する利得制御手段と、を備えたことを特徴とする高周波増幅器のレベル調整回路を提供するものである。
【００１０】
また、本発明に係る高周波増幅器のレベル調整回路は、高周波出力信号を増幅する可変利得増幅回路を備え、前記可変利得増幅回路の利得を制御することによって前記高周波出力信号の出力レベルを調整する高周波増幅器のレベル調整回路であって、前記可変利得増幅回路に入力される前記高周波出力信号を変調した際に使用された変調信号の分岐成分の信号を取得すると共に該信号から第１の振幅情報を抽出する振幅情報抽出手段と、前記可変利得増幅回路から出力される前記高周波出力信号の分岐成分の信号を取得してアンダーサンプリングして第２の振幅情報を抽出するアンダーサンプリング手段と、前記可変利得増幅回路の利得を制御する利得制御パラメータとして、前記振幅情報抽出手段から供給される第１の振幅情報と前記アンダーサンプリング手段から供給される第２の振幅情報とから算出されるレベル差を示す信号を使用する利得制御手段と、を備えたことを特徴とする高周波増幅器のレベル調整回路を提供するものである。
【００１１】
さらに、本発明に係る高周波増幅器は、請求項１乃至６のいずれか１項に記載のレベル調整回路を備えた高周波増幅器であることを要旨とする。
【発明の効果】
【００１２】
以上説明したように、本発明の高周波増幅器のレベル調整回路及び高周波増幅器によれば、従来のレベル調整回路が必要としていた積分器を使用することなく、変調状態での出力信号のレベル検出を可能にすると共に、高周波増幅器の出力信号のレベルと基準値との微小なレベル差は無視するので、レベル調整の収束時間が変調方式に依存せずに高速となり、かつスプリアスの発生を低減できる高周波増幅器のレベル調整回路を提供することができる効果がある。
【図面の簡単な説明】
【００１３】
【図１】本発明の第１の実施形態に係る高周波増幅器のレベル調整回路を含む高周波回路の全体構成を示す回路構成図である。
【図２】本実施形態に係る高周波増幅器のレベル調整回路の比較器１２０を主体とする部分の詳細回路構成を示す回路構成図である。
【図３】本実施形態に係る高周波増幅器におけるレベル調整回路の、ホールド回路１１５の詳細な回路構成を示す回路構成図である。
【図４】本実施形態に係る高周波増幅器のレベル調整回路の動作特性を説明するためのグラフ図である。
【図５】本発明の第２の実施形態に係る高周波増幅器のレベル調整回路を含む高周波回路の全体構成を示す回路構成図である。
【図６】従来の高周波増幅器のレベル調整回路の全体構成を示す回路構成図である。
【発明を実施するための形態】
【００１４】
本発明の高周波増幅器のレベル調整回路は、どのような変調信号であっても、可変ゲインアンプの入力変調信号（基準値）と外部に送出する出力信号との瞬間的な差信号を基にして両者のレベル差を判断することにより、可変ゲインアンプの出力変調信号を積分する積分器の設置を不要にしている。また、このレベル差が所定の値以下の微小変化か否かを判断し、微細なレベル調整は極力行わないように構成することで、スプリアスの発生を低減させている。
なお、原理的には、可変ゲインアンプの出力として外部に送出される出力信号のレベルは、可変ゲインアンプの入力変調信号のレベルが主体であり、搬送される信号のレベルは殆ど無視できることから、入力変調信号のレベルを基準レベルにとり、外部に送出される出力信号のレベルを、この入力変調信号のレベルと比較することで、出力信号のレベル調整を行うことを可能にしている。
【００１５】
以下、本発明の高周波増幅器のレベル調整回路の最良の実施形態について、〔第１の実施形態〕、〔第２の実施形態〕の順に図面を参照して詳細に説明する。
〔第１の実施形態〕
図１は、本発明の第１の実施形態に係る高周波増幅器のレベル調整回路を含む高周波回路の全体構成を示す回路構成図である。
同図に示す高周波回路は、変調回路部分を含み、よって、例えば送信機等を構成する基本的な回路である。
【００１６】
同図において、本実施形態の高周波増幅器のレベル調整回路を含む高周波回路は、レベル調整回路として、変調状態での高周波入力信号を可変ゲインで増幅して出力する可変ゲインアンプ１０３（レベル調整対象の増幅器）と、可変ゲインアンプ１０３が出力する高周波入力信号を外部に出力可能なパワーに変換するパワーアンプ１０４と、可変ゲインアンプ１０３が出力する高周波入力信号を外部に出力すると共に、その一部を分岐出力するカプラ１０５と、カプラ１０５の分岐出力を取り出して適当なレベル値に減衰する減衰器１１７と、減衰器１１７の出力を検出する検出器１１８と、を備え、
【００１７】
さらに、検出器１１８が出力する変調状態での出力信号のレベルをサンプリングするサンプル回路１１９と、サンプル回路１１９の出力と後述するサンプル回路１１３の出力とを比較し、その差となる信号値を出力する比較器１２０と、比較器１２０の出力をホールドするホールド回路１１５と、ホールド回路１１５が保持すべき初期値１１６と、ホールド回路１１５がホールドする信号を可変ゲインアンプ９０１のゲイン調整信号として出力するＬＰＦ１１４（Low-Pass filter）と、後述する変調回路部分が備えるＩＦ信号生成部１１０の出力を分岐する分配器１１１と、分配器１１１の出力を検出する検出器１１２と、検出器１１２のレベルをサンプリングするサンプル回路１１３と、を備える。
【００１８】
また、変調回路部分として、本回路の外部に出力すべきデータ信号を出力するＬＯＣＡＬ信号出力部１０１と、ＬＯＣＡＬ信号出力部１０１の出力信号と後述するＩＦ（Intermediate Frequency）信号とを混合して変調するＭＩＸＥＲ１０２（混合回路）と、ＩＦ信号を生成するＩＦ信号生成部１１０と、ＩＦ信号生成部１１０の出力の分岐出力をＭＩＸＥＲ１０２に送出する分配器１１１と、を備える。
図１に示す変調回路部分や増幅器部分は周知の回路要素を含む周知の構成であり、よって、この部分に既製品を使用しても構わない。
【００１９】
以下、本実施形態の高周波増幅器のレベル調整回路が有する各構成要素の機能について説明する。
図１において、サンプル回路１１３は検出器１１２の出力を、また、サンプル回路１１９は検出器１１８の出力を、一定間隔のサンプリング周期で、それぞれサンプリングするが、このサンプリング周期は、送信起動時と収束後とで変えることができる。
初期値１１６は、ホールド回路１１５が保持して出力すべき信号の初期値としてのレベル値である。
減衰器１１７は、高周波アンプ部（即ち、可変ゲインアンプ１０３及びパワーアンプ１０４）が所望の出力レベルで出力した時に、カプラ１０５にて分配される信号のレベルが、検出器１１２に入力されるＩＦ信号のレベルと同じになるように減衰する（即ち、このような減衰機能を有するように事前に調整されている）。
【００２０】
比較器１２０は、サンプル回路１１３の出力信号のレベル（基準値）と、サンプル回路１１９の出力信号のレベルとを比較し、外部に送出する出力信号レベルの適正化を図るには、可変ゲインアンプのゲインをどの程度調整すれば良いかを判断し、所望の出力レベルを得るために過不足している分の信号レベル（過不足信号レベル）を、ホールド回路１１５に伝達する。
ホールド回路１１５は、比較器１１５から伝達された前記過不足信号レベルが所定のレベル値以下の微小レベルか否かを判断し、所定のレベル値以下の微小レベルであれば無視するが、所定のレベル値以下の微小レベルでなければ、前記過不足信号レベルを現時点の出力信号のレベルに加減算して出力する。
検出器１１２は、分配器１１１にて分配されたＩＦ信号生成部１１０のＩＦ信号レベルを検出する。
【００２１】
図２は、本実施形態に係る高周波増幅器のレベル調整回路の比較器１２０を主体とする部分の詳細回路構成を示す回路構成図である。
図２に示すとおり、比較器１２０の比較部１２１は、サンプル回路１１３でサンプリングされた検出器１１２の出力信号と、サンプル回路１１９でサンプリングされた検出器１１８の出力信号との間に存在するレベル差を算出する。比較器１２０のデータ変換部１２２は比較部１２１が出力するレベル差の信号出力を、可変ゲインアンプ１０３のＶ−ｄB特性に合うようにデータ変換し、補正値として出力する。
【００２２】
図３は、本実施形態に係る高周波増幅器におけるレベル調整回路の、ホールド回路１１５の詳細な回路構成を示す回路構成図である。
図３に示すとおり、比較器１１５１は補正値（即ち、比較器１２０のデータ変換部１２２の出力信号）が微小レベルか否かを基準値との比較により判断し、補正値が基準値と比べて微小な場合は零レベルの信号を出力し、その結果、出力部１１５２のデータは、ホールド回路１１５３により保持される。補正値が基準値と比べて所定のレベル値以下の微小ではない場合は、出力部１１５２のデータを更新するために、当該補正値と共に、ホールド回路１１５３用の出力データ保持パルス及び出力部１１５２のデータ更新パルスを出力し、その結果、出力部１１５２のデータは更新される。即ち、ホールド回路１１５３は、比較器１１５１からの補正値が有る場合は出力部１１５２が現在出力しているデータをデータ保持パルスにてラッチしているが、その後、出力部１１５２にて、比較器１１５１からの補正値と、前記ラッチしたデータ（または初期値）とを、データ更新パルスにて加減算して、出力する。
【００２３】
図４は、本実施形態に係る高周波増幅器のレベル調整回路の動作特性を説明するためのグラフ図である。
以下、図４を参照して、本実施形態の高周波増幅器のレベル調整回路の動作特性を説明する。
同図に示すように、サンプル回路１１３によって検出器１１２の出力（基準値）がサンプルポイントにおいてサンプリングされ、また、サンプル回路１１９によって検出器１１８の出力がサンプルポイントにおいてサンプリングされて、それぞれ比較器１２０に送出されると、比較器１２０は、その瞬間のレベル差を可変ゲインアンプ１０３のゲインに変換し、ホールド回路１１５にて不足レベル分を上乗せしたレベル調整用の補正信号を、ＬＰＦ１１４を介して可変ゲインアンプ１０３に供給する。これによって高周波増幅器部の出力信号が所望のレベルに調整される。
【００２４】
本実施形態に係る高周波増幅器のレベル調整機能は、ＩＦ信号の信号レベルを基準として、所望の出力信号が得られた場合、カプラ１０５によって取り出された信号が、このＩＦ信号レベルと同じになるようにしているため、どのような変調信号に対しても瞬時の信号レベル差を比較することによって高速レベル調整を行うことが可能となる効果がある。
また、ホールド回路１１５は、比較器１１５から伝達された前記過不足信号レベルが所定の値以下の微小レベルか否かを判断し、所定の値以下の微小レベルであれば無視するので、スプリアスの発生を低減させることができる効果がある。
さらに、入力信号が検出器１１８のダイナミックレンジ内に存在する限り、瞬時の比較が可能であるので、変調方式に依存することなくレベル調整に要する時間を同じにできる効果がある。
〔第２の実施形態〕
【００２５】
本発明の第２の実施形態に係る高周波増幅器のレベル調整回路は、その基本的構成は本発明の第１の実施形態に係る高周波増幅器のレベル調整回路に準じるものであるが、検出器１１２，１１８に相当する回路構成についてさらに工夫している。
図５は、本発明の第２の実施形態に係る高周波増幅器のレベル調整回路を含む高周波回路の全体構成を示す回路構成図である。
同図に示す高周波回路は、変調回路部分を含み、よって、例えば送信機等を構成する基本的な回路である。
同図において、本実施形態の高周波増幅器のレベル調整回路を含む高周波回路は、レベル調整回路として、変調状態での高周波入力信号を可変ゲインで増幅して出力する可変ゲインアンプ１０３（レベル調整対象の増幅器）と、可変ゲインアンプ１０３が出力する高周波入力信号を外部に出力可能なパワーに変換するパワーアンプ１０４と、可変ゲインアンプ１０３が出力する高周波入力信号を外部に出力すると共に、その一部を分岐出力するカプラ１０５と、カプラ１０５の分岐出力を取り出して適当なレベル値に減衰する減衰器１１７と、減衰器１１７の出力をアンダーサンプリングするアンダーサンプリング部２１４と、を備え、
【００２６】
さらに、検出器１１８が出力する変調状態での出力信号のレベルをサンプリングするサンプル回路１１９と、サンプル回路１１９の出力と後述する振幅成分抽出部２１３の出力とを比較し、その差となる信号値を出力する比較器１２０と、比較器１２０の出力をホールドするホールド回路１１５と、ホールド回路１１５が保持すべき初期値１１６と、ホールド回路１１５がホールドする信号を可変ゲインアンプ９０１のゲイン調整信号として出力するＬＰＦ１１４と、後述する直交変調部２１２に入力される変調用信号（Ｉ＿ＤＡＴＡ及びＱ＿ＤＡＴＡ）の振幅成分を抽出する振幅成分抽出部２１３と、を備える。
【００２７】
また、変調回路部分として、直交変調部２１２と、本回路の外部に出力すべきデータ信号を出力するＬＯＣＡＬ信号出力部１０１と、ＬＯＣＡＬ信号出力部１０１の出力信号と直交変調部２１２の出力信号とを混合して変調するＭＩＸＥＲ１０２（混合回路）と、直交変調部２１２に入力される変調用信号（ベースバンド変調信号のＩ＿ＤＡＴＡ及びＱ＿ＤＡＴＡ）を出力するＩ＿ＤＡＴＡ２１０及びＱ＿ＤＡＴＡ２１１と、を備える。
図５に示す変調回路部分や増幅器部分は周知の回路要素を含む周知の構成であり、よって、この部分に既製品を使用しても構わない。また、直交変調部２１２は、直交振幅変調器で構成することが好ましい。
【００２８】
以下、本実施形態の高周波増幅器のレベル調整回路が有する各構成要素の機能について説明するが、第１の実施の形態と重複する構成要素については、説明を省略する。
振幅成分抽出部２１３は、Ｉ＿ＤＡＴＡ２１０及びＱ＿ＤＡＴＡ２１１の各信号を入力し、これらから振幅情報だけを抽出して比較器１２０に送出する。
アンダーサンプリング部２１４は、カプラ出力信号を減衰させた減衰器１１７の出力信号をアンダーサンプリングし、その振幅情報だけを抽出して、サンプル回路１１９を介して比較器１２０に送出する。
【００２９】
なお、比較器１２０及びホールド回路１１５では、抽出された各振幅情報を基にして、これら信号間のレベル差が所定の値以下の微小レベルか否かを判断し、所定の値以下の微小レベルでなければ、ホールド回路１１５にて保持されている現在のデータに当該レベル差を加減算した結果を出力する。この出力は、次に出力信号レベルを分配して前述の各振幅情報を抽出し、かつ比較器１２０で比較した結果が零レベルになると予測される信号出力である。
【００３０】
本実施形態に係る高周波増幅器のレベル調整回路は、外部に出力する出力信号と、変調用信号との各振幅情報を抽出し、比較器１２０において両信号出力における瞬時の振幅（瞬時値）を比較するので、出力信号レベルのレベル調整が一層高速に実行できるという効果が得られる。
【産業上の利用可能性】
【００３１】
本発明は、高周波増幅器のレベル調整回路の構築に適用可能であり、特に、出力レベルの収束時間が変調方式に依存しないようにした高周波増幅器のレベル調整回路の構築に好適である。
【符号の説明】
【００３２】
１０１  ＬＯＣＡＬ信号出力部
１０２  ＭＩＸＥＲ（混合回路）
１０３  可変ゲインアンプ
１０４  パワーアンプ
１０５  カプラ
１１０  ＩＦ（Intermediate Frequency）信号生成部
１１１  分配器
１１２，１１８  検出器
１１３，１１９  サンプル回路
１１４  ＬＰＦ（Low-Pass filter）
１１５  ホールド回路
１１７  減衰器
１２０  比較器
２１２  直交変調部
２１３  振幅成分抽出部
２１４  アンダーサンプリング部
【図１】
2010187274.tif 000003
【図２】
2010187274.tif 000004
【図３】
2010187274.tif 000005
【図４】
2010187274.tif 000006
【図５】
2010187274.tif 000007
【図６】
2010187274.tif 000008